(57)【要約】【課題】移動平均株価に対する比較図形を設定し合致する銘柄を抽出する銘柄選択支援システムにおいて、銘柄抽出用の比較図形の設定も、抽出銘柄の評価も容易な銘柄選択支援システムを提供する。【解決手段】サーバは時価総額の上昇率が所定範囲の比較図形の合成図形を作成する比較図形合成手段を有する。情報端末の表示手段は、比較図形設定手段で設定された比較図形を、参考銘柄入力手段で入力された銘柄の規格化移動平均株価チャート、又は、業種銘柄チャートの合成図形、又は、サーバからの合成図形と、同一チャート図上に表示し、抽出銘柄の規格化移動平均株価チャートも比較図形と同一チャート図上に表示する。任意銘柄チャートや、任意業種チャートのトレンドや、比較図形のトレンドを参考にでき、比較図形の設定が容易であり、抽出銘柄チャートも比較図形と同一チャート図上に表示され、抽出銘柄の評価も容易な銘柄選択支援システムの提供が可能である。【選択図】  図１
2008026941.tif 000002
【特許請求の範囲】
【請求項１】
銘柄選択支援システムはネットワーク網を介して株価提供サイトに接続する情報端末からなり、
情報端末は、株価提供サイトとの通信を行なう通信手段と、銘柄名を入力する参考銘柄入力手段と、移動平均株価の期間と期間中の上限と下限とを特定する比較図形を設定する比較図形設定手段と、株価提供サイトにアクセスし株価データを入手する株価サイトアクセス手段と、移動平均株価が比較図形を満たす銘柄を抽出する抽出手段と、参考銘柄又は抽出された複数の銘柄の株価データを基に移動平均株価を算出する移動平均株価算出手段と、所定方法で移動平均株価を規格化して規格化移動平均株価を算出する規格化手段と、規格化移動平均株価のチャートを作図するチャート作図手段と、比較図形を作図する比較図形作図手段と、規格化移動平均株価チャートと比較図形を同一チャート図上に表示する表示手段とを有し、
参考銘柄入力手段に銘柄が入力されると、移動平均株価算出手段が入力銘柄の株価データから移動平均株価を算出し、規格化手段が移動平均株価から規格化移動平均株価を算出し、チャート作図手段が規格化移動平均株価のチャートを作図し、
比較図形設定手段に比較図形が設定されると、比較図形作図手段は参考銘柄の規格化移動平均株価チャート図中に比較図形を表示し、
抽出手段で銘柄の抽出が行なわれると、移動平均株価算出手段が抽出銘柄の株価データから移動平均株価を算出し、規格化手段が移動平均株価から規格化移動平均株価を算出し、チャート作図手段が規格化移動平均株価のチャート図を作図し、表示手段が規格化移動平均株価のチャートを比較図形と同一チャート図中に表示することを特徴とする銘柄選択支援システム。
【請求項２】
銘柄選択支援システムはネットワーク網を介して株価提供サイトに接続する情報端末からなり、
情報端末は、株価提供サイトとの通信を行なう通信手段と、各種業種に属する銘柄名に関する業種銘柄情報を記憶する記憶手段と、移動平均株価の期間と期間中の上限と下限とを特定する比較図形を設定する比較図形設定手段と、株価提供サイトにアクセスし株価データを入手する株価サイトアクセス手段と、移動平均株価が比較図形を満たす銘柄を抽出する抽出手段と、業種銘柄情報に含まれる銘柄又は抽出された複数の銘柄の株価データを基に移動平均株価を算出する移動平均株価算出手段と、所定方法で移動平均株価を規格化して規格化移動平均株価を算出する規格化手段と、規格化移動平均株価のチャートを作図するチャート作図手段と、業種銘柄情報に含まれる銘柄の規格化移動平均株価のチャートの重なり具合に応じて着色又は濃淡を付けた合成図形に関する合成図形情報を算出するチャート合成手段と、合成図形情報に応じた合成図形と比較図形と規格化移動平均株価チャートとを表示する表示手段とを有し、
表示手段は予め合成図形をチャート図上に表示し、比較図形設定手段に比較図形が設定されると、表示手段は合成図形と同一チャート図中に比較図形を表示し、
抽出手段で銘柄の抽出が行なわれると、移動平均株価算出手段が抽出銘柄の株価データから移動平均株価を算出し、規格化手段が移動平均株価から規格化移動平均株価を算出し、チャート作図手段が規格化移動平均株価のチャートを作図し、表示手段が規格化移動平均株価チャートを比較図形と同一チャート図中に表示することを特徴とする銘柄選択支援システム。
【請求項３】
銘柄選択支援システムはネットワーク網を介して接続する複数の情報端末とサーバと株価を提供する株価提供サイトからなり、
サーバは、情報端末との通信を行なう通信手段と、収集した比較図形の重なり具合に応じて着色又は濃淡を付けた合成図形を作成する比較図形合成手段とを有し、
情報端末は、サーバや株価提供サイトとの通信を行なう通信手段と、移動平均株価の期間と上限と下限を示す比較図形を設定する比較図形設定手段と、株価提供サイトにアクセスし株価データを入手する株価サイトアクセス手段と、移動平均株価が比較図形を満たす銘柄を抽出する抽出手段と、抽出された複数の銘柄の株価データを基に移動平均株価を算出する移動平均株価算出手段と、所定方法で移動平均株価を規格化して規格化移動平均株価を算出する規格化手段と、規格化移動平均株価のチャートを作図するチャート作図手段と、合成図形と比較図形と規格化移動平均株価チャートとを表示する表示手段とを有し、
情報端末の通信手段が合成図形を入手すると、表示手段は合成図形を表示し、比較図形設定手段に比較図形が設定されると、表示手段は合成図形と同一チャート図上に比較図形を表示し、
抽出手段で銘柄の抽出が行なわれると、移動平均株価算出手段が抽出銘柄の株価データから移動平均株価を算出し、規格化手段が移動平均株価から規格化移動平均株価を算出し、チャート作図手段が規格化移動平均株価のチャートを作図し、表示手段が規格化移動平均株価チャートを比較図形と同一チャート図中にを表示することを特徴とする銘柄選択支援システム。
【請求項４】
サーバは、株価提供サイトにアクセスし株価データと発行株数データを入手する株価サイトアクセス手段と、移動平均株価が比較図形を満たす銘柄を抽出する抽出手段と、比較図形入力日から所定日後までの比較図形を満たす銘柄の時価総額の上昇率を株価データと発行株数データを用いて算出する時価総額上昇率算出手段とを有し、
比較図形合成手段は時価総額上昇率が所定範囲の比較図形を合成することを特徴とする特許請求３項記載の銘柄選択支援システム。
【請求項５】
比較図形設定手段で設定される比較図形情報には、比較図形の上限と下限でそれぞれ規格化移動平均株価の上限値と下限値を特定する絶対値比較図形、又は、比較図形の上限値と下限値の差で規格化移動平均株価の上限値と下限値の差を特定する相対値比較図形からなり、
サーバの比較図形合成手段は相対値比較図形と規格化移動平均株価を基に相対値比較図形を絶対値比較図形に変換する絶対値化手段を有し、比較図形合成手段は絶対値比較図形を合成し合成図形を作成することを特徴とする特許請求３、４項記載の銘柄選択支援システム。
【請求項６】
規格化手段は、移動平均株価を所定日の移動平均株価で割ることで規格化移動平均株価を算出、又は、移動平均株価とボリジャーバンドの下限との差をボリジャーバンドの上限と下限の差で割ることで規格化移動平均株価を算出することを特徴とする特許請求１、２、３、４、５項記載の銘柄選択支援システム。
【請求項７】
情報端末の比較図形設定手段は移動平均株価のゴールデンクロス又はデッドクロス又は山型又は谷型の形状の発生期間を示す比較図形を設定し、情報端末の表示手段は規格化移動平均株価チャートと共通の時間軸で前記比較図形又は合成図形を表示し、
表示手段は予め合成図形をチャート図上に表示し、比較図形設定手段に比較図形が設定されると、表示手段は合成図形と比較図形を同一の時間軸で表示し、
抽出手段で銘柄の抽出が行なわれると、移動平均株価算出手段が抽出銘柄の時系列の株価データから移動平均株価を算出し、規格化手段が移動平均株価から規格化移動平均株価を算出し、チャート作図手段が規格化移動平均株価のチャートを作図し、表示手段が比較図形と規格化移動平均株価チャートを同一の時間軸で表示することを特徴とする特許請求１、２、３、４、５、６項記載の銘柄選択支援システム。
【発明の詳細な説明】
【技術分野】
【０００１】
本発明は、株式やファンドなどの市場で取引される銘柄を購入する際に、移動平均株価に対する比較図形を設定し、合致する銘柄を抽出することでユーザの銘柄検索を支援する銘柄選択支援システムに関する。
【背景技術】
【０００２】
市場の銘柄を評価する指標として、銘柄の業績を重視したファンダメンタル指標や、値動きの推移を重視したテクニカル指標が知られている。テクニカル指標には、相場の数ヶ月から数週間単位の流れを示すトレンドに関する指標と、数日単位等の短い相場の変化を示すサイクルに関する指標がある。
【０００３】
ファンダメンタル指標には、ＲＯＥ（株主資本利益率）やＰＥＲ（株価収益率）等がある。ファンダメンタル指標は計算も容易であり、業種毎の平均値も知られている。指標の現在の値を、同業他社と比べ、更に、業績予想や新製品や経営トップのコミットメント等に対する評価を加味することで、割安又は割高の判断が行なわれている。任意のファンダメンダル指標を選び、指標の経験値を抽出条件とすることで、割安や割高の銘柄を抽出することも行なわれている。ＲＯＥやＰＥＲ等のファンダメンタル指標にはおおよその経験値があり、指標１つに対して１つの値なので、ユーザにとっても条件設定が容易なので、ファンダメンタル指標の条件を入力して銘柄を検索するサービスが、証券会社や株式情報提供サイトで提供されている。
【０００４】
トレンドに比べて短い周期の波であるサイクルに関する指標には、トレンドの強弱を推定するＤＭＩ（方向性指数）や、人間心理を基にしたサイコロジカルラインや、高値警戒感や安値警戒感を判断するＲＳＩ（相対力指数）や、割安割高の売買シグナルを算出するストキャスティクス等がある。現時点での指標の値がどの程度かにより、トレンドの強弱や、割安割高等を判断することになる。サイクル指標の場合も、指標の現在の値がどの程度であれば、どのように判断するというような、指標の経験値が広く知られている。任意のサイクル指標を選び、指標の経験値を抽出条件とすることで、希望するサイクルの銘柄を抽出することができる。ファンダメンタル指標と同様に、指標の経験値があり、ユーザにとっても条件設定が容易なので、サイクル指標の条件を入力して銘柄を検索するサービスも、証券会社や株式情報提供サイトで提供されている。
【０００５】
トレンドに関しては、移動平均株価チャート上にトレンドラインを引くことで、トレンドのパターンを明確にして、トレンドを判断することが行なわれている。「上昇フラッグ」や「下降フラッグ」、「ボックス」、「ペナント」等の持ち合いのパターンや、「トリプルトップ」や「ダブルトップ」、「Ｖトップ」等の反転パターン等の経験的なパターンが知られているが、トレンドパターンの上限と下限の幅や傾きや期間に絶対値としての経験値があるわけではなく、多分に抽象的な分類である。例えば、「上昇フラッグ」の銘柄を抽出したい場合でも、トレンドパターンの上限と下限の幅や傾きや期間を決めないと、抽出することも出来ない。又、それぞれに経験値があるわけでもないので、上限と下限の幅や傾きや期間を決めること自体困難である。又、銘柄毎に株価が非常に違うので、単純に上限と下限の幅を１０万円と決めても、１００万円の銘柄には合うが、1万円の銘柄では検索の意味を成さない。
【０００６】
トレンドに関する指標として、単純移動平均や加重移動平均の平均日数の異なる2つの移動平均株価チャートの交差であるゴールデンクロスやデッドクロスや、単純移動平均の固定した割合で上方バンドと下方バンドを算出するチャネルシステムや、標準偏差を用いてバンドの上限と下限を算出するボリジャーバンド等がある。いずれの場合でも、最新日の状況だけでなく、時間的な推移も考慮する必要がある。ゴールデンクロスやデッドクロスの場合、発生日が今日だけでなく、昨日、一昨日に発生した銘柄も重要であり、平均日数を短期にするか長期にするかも重要であり、固定の平均日数で最新日に発生した銘柄を抽出するだけでは不十分である。チャネルシステムやボリジャーバンドの場合でも、現在、バンドのどの位置にあるかだけでなく、バンド内をどのように推移しているかが重要である。同じ下限付近であっても、下限から上がり出しているのであれば、トレンドの転換で買い時かもしれないが、下限のままならば、強い下降相場で買ってはいけない時かも知れない。
【０００７】
ファンダメンタル指標やサイクル指標に比べて、トレンドの場合は、時間的な推移がより不可欠であり、抽出に適した絶対値としての経験値も特にはないので、ユーザが何もない状態で抽出条件を設定するのは困難である。銘柄検索サービスを提供している証券会社や株式情報提供サイトでも、移動平均株価チャートの形状による充実したトレンド検索が提供されているとは言い難い。
【０００８】
トレンドの推移を基に銘柄を抽出するのに適した方法として、上場銘柄全ての移動平均株価チャートを見るという方法がある。知りたいトレンドに合った移動平均日数を設定し、更にトレンドラインを引くことで、トレンドも容易に知ることができる。ボリンジャーバンドも合わせて見ることで、トレンドがあるのか、もみあいなのかも分る。平均日数の異なる移動平均株価チャートを表示させることで、ゴールデンクロスやデッドクロスも分かる。時間に非常に余裕のある人にとっては、非常に確実な方法である。しかし、銘柄の数は非常に多く、一般の人にとっては、時間的にほぼ不可能である。トレンドを重視する人にとっては、トレンドによって、銘柄を絞り込む何らかの方法が必要である。
【０００９】
特開２００３−１３２２１４号公報において、相場を構成する個々の銘柄について、所定の起点からの時系列的データを、所定のパターン分類アルゴリズムによって、複数の時系列パターンのいずれかに分類し、該当する銘柄の個数に応じたパターン割合表示部と該時系列パターンを表示する表示部を、平面画面に所定のレイアウトで配置表現する相場情報表示装置が示されている。時系列パターンが示されて、それに一致する銘柄が選ばれるので、初心者でも非常に簡単に、表示された時系列パターンのトレンドの銘柄を知ることができる。
【００１０】
特開２００３−１３２２１４号公報では、時系列パターンはサイトが決めたパターンだけであり、ユーザは表示された時系列パターンから選ぶことしかできない。時系列パターンは常に一定なので、条件を緩めたり、条件の一部を変えたりして、一致銘柄を増やすようなことも出来ない。そもそも、時系列パターンの詳細はユーザに開示もされないので、時系列パターンにどのように合致していたのかさえも知ることができない。複数の時系列パターンを選ぶことで、銘柄が表示されるので、検索システムのようでもあるが、ユーザが検索条件を設定できないので、発明の名称の通り相場情報表示装置であり、検索システムとは言い難い。従って、特開２００３−１３２２１４号公報の相場情報表示装置は、決められたトレンドパターンの銘柄を知ることは容易に行えるが、ユーザがトレンド条件を設定できないので、銘柄検索システムではなく、あくまでも、特定のトレンドパターンの銘柄を表示する表示装置でしかないという欠点がある。
【特許文献１】特開２００３−１３２２１４号公報
【発明の開示】
【発明が解決しようとする課題】
【００１１】
本発明は以上のような従来の欠点に鑑み、
（１）移動平均株価に対する比較図形を設定し、合致する銘柄を抽出する銘柄選択支援システムにおいて、任意の銘柄の移動平均株価チャートを参考にすることができ、銘柄抽出用の比較図形の設定も、抽出銘柄の評価も容易な銘柄選択支援システムを提供することを主な目的とする。
【００１２】
（２）移動平均株価に対する比較図形を設定し、合致する銘柄を抽出する銘柄選択支援システムにおいて、任意の業種の移動平均株価チャートのトレンドを参考にすることができ、銘柄抽出用の比較図形の設定も、抽出銘柄の評価も容易な銘柄選択支援システムを提供することも主な目的とする。
【００１３】
（３）移動平均株価に対する抽出条件を設定し、合致する銘柄を抽出する銘柄選択支援システムにおいて、複数のユーザが設定した抽出用の比較図形の傾向を参考にすることができ、銘柄抽出用の比較図形の設定も、抽出銘柄の評価も容易な銘柄選択支援システムを提供することも主な目的とする。
【００１４】
（４）比較図形で抽出される銘柄の時価総額の上昇率が所定範囲の比較図形を合成した合成図形により、比較図形の上昇、下降トレンドを簡単に参考にできるようにすることも目的とする。
【００１５】
（５）比較図形は、移動平均株価の上限と下限の絶対値の設定だけでなく、移動平均株価の上限と下限の差である相対値での設定も可能にし、その場合でも合成図形に反映されるようにすることも目的とする。
【００１６】
（６）複数の銘柄にチャートを同一チャート図上に容易に表示することができるようにし、チャートも通常の移動平均株価チャート図だけでなく、ボリジャーバンド図を用いた銘柄の抽出も行なうことができるようにすることも目的とする。
【００１７】
（７）ユーザは移動平均株価チャートのゴールデンクロス、又は、デッドクロス、又は、山型、又は、谷型の形状の発生期間を示す比較図形に関しても、複数のユーザが設定した比較図形のトレンドを参考にすることができ、銘柄抽出用の比較図形の設定も抽出銘柄の評価も容易な銘柄選択支援システムを提供することも目的とする。
【課題を解決するための手段】
【００１８】
図１に本発明のデータの流れに注目した概略図、図２に主要な構成を明確にした構成図を示す。本発明は図1の６に如く1台の情報端末がネットワーク網を介して株価提供サイトに接続したシステム、又は、図1全体の如く複数の情報端末１、７がネットワーク網３を介してサーバ８と株価提供サイト４に接続したシステムである。
【００１９】
情報端末１は、株価提供サイト４の記憶手段１３から株価１２を受取り記憶する。ユーザ５が参考銘柄１５を指定すると、参考銘柄１５と株価１２を基に、規格化された移動平均株価である規格化移動平均株価１３を算出し、同一チャート図２に表示する。ユーザ５が移動平均株価の期間と上限と下限を特定する比較図形１０を設定すると、比較図形１０も同一チャート図に表示される。ユーザ５は参考銘柄のチャートを参考にしながら比較図形を設定できる。
株価１２から算出される規格化移動平均株価１３が、比較図形１０に合致する抽出銘柄１１を抽出し、抽出銘柄の株価は規格化移動平均株価チャートを同一チャート図２に表示する。
移動平均株価を規格化することで、抽出された銘柄の移動平均株価チャートを同一のチャート中に表示することが可能となり、更に、比較図形も同時に表示されるので、期待した形状の移動平均株価チャートの銘柄が抽出されたかを容易に確認し評価することが出来る。
【００２０】
比較図形１０を設定する際の参考図形は、参考銘柄以外にすることもできる。業種や市場に含まれる複数の銘柄名を含む業種市場内銘柄１４を基に、業種や市場に含まれる銘柄の規格化移動平均株価１３を算出し、規格化移動平均株価のチャートの重なり具合に応じて着色又は濃淡を付けたチャート合成図形１６を作成し、同一チャート図２に表示することもできる。チャート合成図形の着色又は濃淡による業種・市場のトレンド１７を参考に比較図形１０を設定することができる。
【００２１】
図1の全体のように、サーバ８と複数の情報端末７を含めたシステムとすることも出来る。サーバ８は複数の情報端末１、７から比較図形１０を収集する。比較図形１０と株価提供サイト４からの株価２３を基に、規格化移動平均株価が、比較図形１０に合致する抽出銘柄２４を抽出する。抽出銘柄２４と株価と発行株数２３を基に、各比較図形に対応する抽出銘柄の時価総額上昇率２２を算出し、時価総額上昇率２２が所定範囲の比較図形を合成し、比較図形の重なり具合に応じて着色又は濃淡を付けた合成図形２５を作成する。合成図形は情報端末１に送られ、情報端末１の同一チャート図２に表示される。
この合成図形１０の着色又は濃淡により、多くのユーザが設定した比較図形に関して、時価総額の上昇又は下降のトレンドが分るので、比較図形１０を設定する際に、比較図形のトレンドを参考にして設定することが出来る。
【００２２】
移動平均株価チャートに対する銘柄抽出用の比較条件を設定することは、一般的には容易ではないが、本発明では、参考銘柄のチャート１８、又は、業種・市場のトレンド１７、又は比較図形の上昇下降トレンド２６に関する合成図形を参考に、同一チャート図上に比較図形を設定できるので、比較図形を容易に設定することができる。抽出銘柄のチャート１８も比較図形１０と同一チャート図上に表示されるので、抽出結果が妥当であったかの判断が容易に行える。情報端末１と株価提供サイト４とサーバ８の各種データはそれぞれの記憶手段９、１９、２１に記憶される。情報端末１以外の情報端末７も、情報端末１と同等の機能をもつ。
【００２３】
図２は本発明の主要な構成図であり、銘柄選択支援システムは、サーバと情報端末とから構成され、市場で取引される銘柄の株価を提供する株価提供サイトにネットワーク網を介して接続する。情報端末１０１は、株価提供サイト１０３との通信を行なう通信手段１０５と、銘柄名を入力する参考銘柄入力手段１１６と、移動平均株価の期間と期間中の上限と下限とを特定する比較図形情報１１１を設定する比較図形設定手段１０７と、株価提供サイトにアクセスし株価データを入手する株価サイトアクセス手段１０６と、比較図形情報１１１と株価データ１１２とを記憶する記憶手段１１０と、移動平均株価が比較図形を満たす銘柄を抽出する銘柄抽出手段１１５と、参考銘柄又は抽出された複数の銘柄の株価データを基に移動平均株価を算出する移動平均株価算出手段１１７と、所定方法で移動平均株価を規格化して規格化移動平均株価を算出する移動平均株価規格化手段１１９と、規格化された規格化移動平均株価のチャート図を作図するチャート作図手段１２０と、規格化移動平均株価チャート図と比較図形を同一チャート図１２３乗に表示する表示手段１２２とを有する。
【００２４】
参考銘柄入力手段１１６に銘柄が入力されると、移動平均株価算出手段１１７が入力銘柄の株価データから移動平均株価を算出し、移動平均株価規格化手段１１９が移動平均株価から規格化移動平均株価を算出し、チャート作図手段１２０が規格化移動平均株価のチャート図を作図し、比較図形設定手段１０７に比較図形情報１１１が設定されると、比較図形作図手段１２１は比較図形を作図し、チャート図と比較図形が表示手段１２２の同一チャート図１２３に表示する。銘柄抽出手段１１５で銘柄の抽出が行なわれると、移動平均株価算出手段１１７が抽出銘柄の時系列の株価データから移動平均株価を算出し、移動平均株価規格化手段１１９が移動平均株価から規格化移動平均株価を算出し、チャート作図手段１２０が規格化移動平均株価のチャート図を作図し、表示手段１２２の比較図形と同一チャート図１２３上に表示する。
【００２５】
規格化した移動平均株価を用いるので、１つの比較図形で全ての銘柄との比較が可能となる。又、移動平均株価を用いて株価のトレンドを判断するには、任意の期間の移動平均株価の推移を判断する必要があるが、本発明では規格化移動平均株価の期間と上限下限を特定する比較図形を用いるので、株価が希望する推移の銘柄を容易に抽出することができる。
【００２６】
何もない状態で比較図形を設定するのは初心者にとっては容易ではないが、本発明では、参考銘柄を指定して、参考銘柄の移動平均株価チャートを表示させた状態で、比較図形を設定できるので、比較図形の設定が容易である。銘柄を抽出すると、抽出された複数の銘柄の移動平均株価チャートが比較図形と一緒に表示されるので、比較図形が狙い通りであったかが容易に判断でき、抽出銘柄が狙い通りになるように比較図形を修正し、再度、抽出するのも容易である。
【００２７】
情報端末は業種銘柄情報に含まれる銘柄の規格化移動平均株価のチャートの重なり具合に応じて着色又は濃淡を付けた合成図形情報１１４を算出するチャート合成手段も有し、情報端末の記憶手段１１０は、各種業種や市場に属する銘柄名に関する業種銘柄情報と、合成図形情報１１４も記憶する。移動平均株価算出手段は、業種銘柄情報に含まれる銘柄についても株価データを基に移動平均株価を算出し、表示手段は合成図形情報１１４に対応する合成図形を表示する。表示手段１２２は予め合成図形をチャート図上に表示し、比較図形設定手段１０７に比較図形情報１１１が設定されると、表示手段は合成図形と同一チャート図中に比較図形を表示し、抽出手段で銘柄の抽出が行なわれると、移動平均株価算出手段が抽出銘柄の時系列の株価データから移動平均株価を算出し、規格化手段が移動平均株価から規格化移動平均株価を算出し、チャート作図手段が規格化移動平均株価のチャート図を作図し、表示手段が規格化移動平均株価チャートを比較図形と同一チャート図中に表示する。
【００２８】
業種の銘柄の規格化移動平均株価のチャートの重なり具合に応じて着色又は濃淡を付けた合成図形により、業種の移動平均株価チャートのトレンドを知ることができる。その合成図形を参考に、抽出用の比較図形を作図することができるので、ユーザは自分の注目している業種に関するトレンドの抽出条件を容易に設定できる。
【００２９】
更に、銘柄選択支援システムは、ネットワーク網１０２を介して複数の情報端末がサーバ１０４に接続する構成をとることもできる。サーバ１０４は、情報端末１０１との通信を行なう通信手段１３２と、収集した比較図形の重なり具合に応じて着色又は濃淡を付けた合成図形情報１１４を算出する比較図形合成手段１２７を有する。情報端末の通信手段１０５は、株価提供サイト１０３だけでなくサーバ１０４との通信も行なう。情報端末の表示手段１２２は、サーバから受信した合成図形情報１１４に応じた合成図形も表示する。情報端末の通信手段１０５が合成図形情報１１４を入手すると、表示手段は合成図形を表示し、比較図形設定手段１０７に比較図形情報１１１が設定されると、表示手段は合成図形と同一チャート図上に比較図形を表示する。銘柄抽出手段１１５で銘柄の抽出が行なわれると、移動平均株価算出手段１１７が抽出銘柄の株価データから移動平均株価を算出し、移動平均株価規格化手段１１９が移動平均株価から規格化移動平均株価を算出し、チャート作図手段１２０が規格化移動平均株価のチャートを作図し、表示手段が規格化移動平均株価チャートを比較図形と同一チャート図上に表示する。
【００３０】
複数の情報端末から集められた比較図形を合成した合成図形が情報端末に表示されるので、ユーザは他のユーザの用いている比較図形の傾向を知ることができる。
合成図形上に比較図形を設定できるので、他のユーザの傾向を考慮した抽出条件の設定が容易に行える。他のユーザが選んだ銘柄を知るだけでは、他のユーザがどのような条件で銘柄を選んだかというような銘柄選択のノウハウを得ることはできない。しかし、本発明では合成図形を見ることで、他のユーザが銘柄を選ぶ際に使用した比較図形の傾向を知ることが出来るので、銘柄選択のノウハウを得ることも可能である。日々の合成図形をチェックすることで、比較図形の傾向の変化からトレンドの変化も知ることが可能であり、トレンドの変化も考慮して、比較図形を設定出来る。
【００３１】
サーバは、更に、株価提供サイトにアクセスし株価データ１３１と発行株数データ１３０を入手する株価サイトアクセス手段１２４と、移動平均株価が比較図形を満たす銘柄を抽出する銘柄抽出手段１２６と、比較図形入力日から所定日後までの比較図形を満たす銘柄の時価総額の上昇率を株価データ１３１と発行株数データ１３０を用いて算出する時価総額上昇率算出手段１２５とを有し、比較図形合成手段１２７は時価総額上昇率が所定範囲の比較図形情報１１１を合成する。
【００３２】
比較図形を満たす銘柄の時価総額の上昇率が所定範囲の比較図形を合成して合成図形を作成するので、より的の絞られた合成図形を得ることができる。一般に株価が上昇する銘柄を探すユーザと、株価が下降する銘柄を探すユーザがいるので、比較図形も上昇する銘柄を探す比較図形と、株価が下降する銘柄を探す比較図形が入力されることになる。ユーザに上昇と下降のどちらの銘柄を探しているかを入力してもらうのは面倒であるが、時価総額の上昇率が所定範囲の比較図形を合成することで、結果的に特定のトレンドの銘柄の抽出に適した比較図形の傾向を知ることができる。比較図形の上昇下降トレンドを考慮した比較図形の設定が可能となる。
【００３３】
比較図形設定手段１０７で設定される比較図形情報１１１には、比較図形の上限と下限でそれぞれ規格化移動平均株価の上限値と下限値を示す絶対値比較図形、又は、比較図形の上限値と下限値の差で規格化移動平均株価の上限値と下限値の差を示す相対値比較図形がある。サーバの比較図形合成手段１２７は相対値比較図形と規格化移動平均株価を基に相対値比較図形を絶対値比較図形に変換する絶対値化手段１２８を有し、比較図形合成手段は絶対値比較図形を合成する。
【００３４】
株価の変動が大きい銘柄では、短期の移動平均株価と長期の移動平均株価の値の乖離が大きくなる。最新日で規格化した場合、長期と短期の移動平均株価の最新日の値がずれるので、長期の移動平均株価に対する比較図形と長期の移動平均株価に対する比較図形の位置がずれる可能性がある。その場合でも、長期の移動平均株価に対する比較図形を相対値比較図形とすることで、基準日のずれに関わらず、連続した比較図形とすることができる。このように、相対値比較図形は抽出には便利であるが、絶対値が不定なので、そのままでは合成することができない。しかし、絶対値化手段１２８が相対値比較図形と規格化移動平均株価を基に相対値比較図形を絶対値比較図形に変換するので、絶対値比較図形と相対値比較図形の両方を合成した合成図形を得ることができる。
【００３５】
規格化手段は、移動平均株価を所定日の移動平均株価で割ることで規格化移動平均株価を算出する。銘柄の売買単位の株価は数１００万円から１００円以下まで、非常に大きな幅があり、数１００万円に合わせれば１００円以下の銘柄は０と区別できなくなり、１００円以下に合わせれば、数１００万円の銘柄の株価は表示されなくなるので、そのままで、同一チャート図上に表示するのは現実的ではない。移動平均株価を所定日の移動平均株価で割った規格化移動平均株価を用いることで、株価変動の比率分の幅に収まるようになり、１つのチャート図上に複数の銘柄の規格化移動平均株価チャートを表示できるようになる。複数の銘柄の過去の株価の値動きを比較する場合は、過去のある時点で規格化するのが良いが、本発明では、これから購入する銘柄の値動きを比較したいので、最新日の移動平均株価で規格化し、最近の値動きをより比較し易くしている。
【００３６】
又は、規格化手段は、移動平均株価とボリジャーバンドの下限との差をボリジャーバンドの上限と下限の差で割ることで規格化移動平均株価を算出する。移動平均株価とボリジャーバンドの下限との差をボリジャーバンドの上限と下限の差で割った規格化移動平均株価を用いることで、ボリジャーバンドの上限と下限を共通にした１つのボリジャーバンド図上に複数の銘柄の規格化移動平均株価チャートを表示できるようになる。これにより、比較図形も規格化移動平均株価チャートと同一チャート図上に表示できるようになる。
【００３７】
情報端末の比較図形設定手段１０７は移動平均株価のゴールデンクロス又はデッドクロス又は山型又は谷型の形状の発生期間を示す比較図形情報１１１を設定し、情報端末の表示手段１２２は規格化移動平均株価チャートと共通の時間軸で比較図形又は合成図形を表示する。表示手段１２２は予め合成図形をチャート図上に表示し、比較図形設定手段１０７に比較図形が設定されると、表示手段１２２は合成図形と比較図形を同一の時間軸で表示する。抽出手段で銘柄の抽出が行なわれると、移動平均株価算出手段が抽出銘柄の時系列の株価データから移動平均株価を算出し、規格化手段が移動平均株価から規格化移動平均株価を算出し、チャート作図手段が規格化移動平均株価のチャートを作図し、表示手段１２２が比較図形と規格化移動平均株価チャートを同一の時間軸で表示する。
【００３８】
移動平均株価の特徴的な形状であるゴールデンクロスやデッドクロス、山型、谷型の形状の発生期間を示す比較図形を設定することで、銘柄の抽出が可能である。合成図形と比較図形を共通の時間軸で表示されるので、比較図形の設定が容易である。又、比較図形と規格化移動平均株価チャートを同一の時間軸で表示されるので、比較図形が狙い通りであったかが容易に判断でき、抽出銘柄が狙い通りになるように比較図形を修正するのも容易である。
【発明の効果】
【００３９】
以上の説明から明らかなように、本発明にあたっては次に列挙する効果が得られる。
（１）参考銘柄又は抽出された複数の銘柄の株価データを基に移動平均株価を算出する移動平均株価算出手段と、所定方法で移動平均株価を規格化して規格化移動平均株価を算出する規格化手段を有し、規格化した移動平均株価を用いるので、全ての銘柄のチャートは同一のチャート図上に表示可能となる。全ての銘柄のチャートが同一のチャート図上に表示されるので、比較図形設定手段で設定される比較図形も同一のチャート図上に表示可能となる。
従って、参考銘柄の移動平均株価チャートを表示させたチャート図上に比較図形を設定することができ、更に、抽出された複数の銘柄の移動平均株価チャートと比較図形も同一のチャート図上に表示されるので、抽出用の比較図形の設定も、抽出銘柄の評価も容易な銘柄選択支援システムを提供することができる。
【００４０】
（２）情報端末には、業種銘柄情報に含まれる銘柄の規格化移動平均株価のチャートの重なり具合に応じて着色又は濃淡を付けた合成図形を作成するチャート合成手段があり、合成図形と同一チャート図中に比較図形が表示する。更に、銘柄の抽出が行なわれると、抽出銘柄の規格化移動平均株価チャート図中に比較図形を表示する。
従って、業種の銘柄の規格化移動平均株価のチャートの重なり具合に応じて着色又は濃淡を付けた合成図形により、その業種の移動平均株価チャートのトレンドを参考にすることができ、その業種に関する抽出用の比較図形の設定が容易で、抽出銘柄の評価も容易な銘柄選択支援システムを提供することができる。
【００４１】
（３）銘柄選択支援システムは、ネットワーク網を介して複数の情報端末がサーバに接続する構成をとることもできる。サーバは、情報端末との通信を行なう通信手段と、収集した比較図形の重なり具合に応じて着色又は濃淡を付けた合成図形を作成する比較図形合成手段を有する。抽出された複数の銘柄の株価データを基に移動平均株価を算出する移動平均株価算出手段と、所定方法で移動平均株価を規格化して規格化移動平均株価を算出する規格化手段を有し、規格化した移動平均株価を用いるので、全ての銘柄のチャートは同一のチャート図上に表示可能となる。全ての銘柄のチャートが同一のチャート図上に表示されるので、比較図形設定手段で設定される比較図形も同一のチャート図上に表示可能となる。合成図形は比較図形を重ね合わせた図形なので、合成図形も同一のチャート図上に表示可能となる。
従って、合成図形を表示させたチャート図上に比較図形を設定することができ、抽出された複数の銘柄の移動平均株価チャートと比較図形も同一のチャート図上に表示されるので、比較図形のトレンドを考慮した抽出用の比較図形の設定も容易で、抽出銘柄の評価も容易な銘柄選択支援システムを提供することができる。
【００４２】
（４）更に、サーバは株価提供サイトにアクセスし株価データと発行株数データを入手する株価サイトアクセス手段と、移動平均株価が比較図形を満たす銘柄を抽出する抽出手段と、比較図形入力日から所定日後までの比較図形を満たす銘柄の時価総額の上昇率を株価データと発行株数データを用いて算出する時価総額上昇率算出手段とを有する。比較図形合成手段は時価総額上昇率が所定範囲の比較図形を合成することで、実際の時価総額上昇率の実績に基づいて分類した比較図形の合成図面を合成する。
従って、合成図形により、対応する時価総額の上昇又は下降の比較図形のトレンド、即ち、株価の上昇又は下降トレンドの銘柄の抽出に適した比較図形のトレンドを知ることができる。
【００４３】
（５）比較図形は、比較図形の上限と下限がそれぞれ規格化移動平均株価の上限値と下限値を示す絶対値比較図形、又は、比較図形の上限値と下限値の差が規格化移動平均株価の上限値と下限値の差を示す相対値比較図形からなる。サーバの比較図形合成手段は相対値比較図形と規格化移動平均株価を基に相対値比較図形を絶対値比較図形に変換する絶対値化手段を有し、比較図形合成手段は絶対値比較図形を合成する。
従って、相対値比較図形を用いることで、平均期間が異なり基準日の移動平均株価にずれのある複数の移動平均株価に対しても、ずれを意識することなく複数の比較図形を設定することができる。更に、サーバは相対値比較図形も含めた合成図形を情報端末に提供できる。
【００４４】
（６）規格化手段は、移動平均株価を所定日の移動平均株価で割ることで規格化移動平均株価を算出、又は、移動平均株価とボリジャーバンドの下限との差をボリジャーバンドの上限と下限の差で割ることで規格化移動平均株価を算出する。
従って、複数の銘柄にチャートを同一チャート図上に容易に表示することができる。通常の移動平均株価チャート図だけでなく、ボリジャーバンド図を用いて銘柄の抽出を行なうこともできる。
【００４５】
（７）情報端末の比較図形設定手段は移動平均株価のゴールデンクロス、又は、デッドクロス又は、山型、又は、谷型の形状の発生期間を示す比較図形を設定し、情報端末の表示手段は規格化移動平均株価チャートと同一の時間軸で前記比較図形又は合成図形を表示する。
従って、合成図形を表示させたチャート図と同一時間軸でゴールデンクロスやデッドクロス、山型、谷型を示す比較図形を設定することができ、抽出された複数の銘柄の移動平均株価チャートを比較図形と同一時間軸のチャート図上に表示されるので、トレンドの傾向を考慮した抽出用の比較図形の設定も容易で、抽出銘柄の評価も容易な銘柄選択支援システムを提供することができる。
【発明を実施するための最良の形態】
【００４６】
以下、本発明を実施するための最良の形態により、詳細に説明する。
本発明の主要な構成は既に説明済みの図２である。図３から図５に比較図形設定画面、図６に抽出銘柄一覧画面、図７に比較図形トレンド一覧画面、図８に業種トレンド一覧画面を示す。図９に比較図形設定表と対応する比較図形の関係、図１０に相対値比較図形の絶対値比較図形への変換手順、図１１に比較図形の合成図の作成手順、図１２に業種トレンド図形の作成手順を示す。図１３から図１５に情報端末のフロー、図１６、図１７にサーバのフロー、図２０、図２１に情報端末とサーバの共通のフローを示す。
【００４７】
図３は参考銘柄表示時の比較図形設定画面である。２０１はサイト名「ＤＩＹ銘柄検索」であり、２０２は「抽出銘柄一覧画面」への切替え釦であり、２０３は「比較図形トレンド」への切替え釦であり、２４１は「業種トレンド一覧」への切替え釦である。「比較図形設定画面」の具体的な処理は２０４の枠内である。比較図形の選択２０５と、比較表２２１と、抽出開始釦２２３と、参考銘柄の設定２２５と、チャート図２２９からなる。
【００４８】
比較図形の選択２０５で、比較図形を選択し、比較表で詳細の設定を行なう。２１７の新規作成釦で比較表の比較Noを＋１し、新たな比較図形を作成する。移動平均株価に対して、ある評価日１日の上限と下限だけを設定する時は２０６の直線図形を選ぶ。第１の評価日を固定にし、第２の評価日の上限と下限を設定する時は２０７の絶対値三角図形を選ぶ。規格化移動平均株価の規格化の基準日は全ての銘柄が基準値になるので、基準日の最新日付近の株価で抽出を行なうのに適している。
【００４９】
第１の評価日と第２の評価日で、それぞれ上限と下限を設定する時は２０８の絶対値四角図形を選ぶ。２つの評価日の上限と下限を任意に設定できるので、上昇トレンド、下降トレンド、ボックス、トライアングル等の形状を任意の期間、任意の値幅で設定できる。比較相手の移動平均株価の平均日数を長期に設定すれば長期のトレンドの判断ができ、短期の日数にすれば短期のトレンドで抽出できる。
【００５０】
複数の比較図形で比較相手の移動平均株価の平均日数を変えると、トレンドの上昇又は下降局面では、比較相手の移動平均株価が大きくずれることになる。その場合、２０９の相対値四角図形を選ぶと、ずれを意識しなくてもすむ。２０９の相対値四角図形では、比較図形を上下にずらしてどこかで、移動平均株価が比較図形の範囲に入れば合致したと判断する。株価の絶対値ではなく、トレンドの傾向だけで比較するのに有効である。２０６から２０９の比較図形を複数設定することで、移動平均株価の任意の形状の比較図形を設定できる。
【００５１】
２１０から２１３は移動平均株価の特徴的形状であり、２１０は短期移動平均株価が長期移動平均株価を下から上に超えたゴールデンクロスである。２１１は短期移動平均株価が長期移動平均株価を上から下に超えたデッドクロスである。２１２は設定した２つの評価日に比べて評価日の間の方が、平均移動平均株価が高い山型形状であることを示す。２１３は設定した２つの評価日に比べて評価日の間の方が、平均移動平均株価が低い谷型形状であることを示す。
【００５２】
２１４から２１６はボリンジャーバンド（以下、Ｂ．Ｂ．）に対する比較図形である。規格化Ｂ．Ｂ．では、アッパーバンドとロワーバンドが一定になるように規格化する。規格か移動平均株価の場合は、全ての銘柄で所定日の値は同じになるが、規格化ボリンジャーバンド図上の移動平均株価の所定日の値が全銘柄で一定になるようなことはない。Ｂ．Ｂ．に対して、ある評価日１日の上限と下限だけを設定する時は２１４の直線図形を選ぶ。第１の評価日と第２の評価日で、それぞれ上限と下限を設定する時は２１５の絶対値四角図形を選ぶ。２つの評価日の上限と下限を任意に設定できるので、上値圏、等の形状を任意の期間、任意の値幅で設定できる。Ｂ．Ｂ．の傾向で抽出したい時は、２１６の相対値四角形を選ぶ。
【００５３】
２０７の絶対値三角図形をを選ぶと、チャート図２２９上に２３１の三角図形が表示される。比較図形の上の番号１は比較表の位置Ｎｏである。三角形の頂点の点をマウスでクリックして移動させることで形状を変えてもよいし、比較表の数値を書替えて変更しても良い。２０９の相対値四角形を選択すると２３０の比較図形が表示され、位置Ｎｏは２である。２１４のゴールデンクロスを選ぶと２３７が表示される。ゴールデンクロスなので株価はなく、時間軸だけであり、２３７をクリックして期間を変えてもよいし、比較表で期間を変えても良い。２１３を選ぶと２３８の谷型が表示される。２１５を選ぶと、２４０の絶対値四角形をＢ．Ｂ．図上に表示する。
【００５４】
チャート図上又は比較表の位置Ｎｏをクリックし反転させた状態で２１８の位置Ｎｏクリア釦をクリックすることで、比較表の対応する位置Ｎｏのデータとチャート図上の比較図形をクリアする。２１９の「前の比較Ｎｏへ」釦をクリックすると、比較Ｎｏを−１した比較Ｎｏのデータを比較表に表示し、チャート図にも対応する比較図形を表示する。２２０の「後の比較Ｎｏへ」釦をクリックすると、比較Ｎｏを＋１した比較Ｎｏのデータを比較表に表示し、チャート図にも対応する比較図形を表示する。
【００５５】
比較表２２１に表示されている位置Ｎｏは４つであるが、２２２で表示される位置Ｎｏを変えることができるので、位置Ｎｏは５つ以上の可能であり、その分、比較図形を多く設定できる。比較表の詳細については、図９についての記述の中で説明する。
【００５６】
２２４は抽出を行なう銘柄の範囲を示し、右側の上下釦で選択する。ここで表示されている新興市場のような市場や、業種を指定する。２２３の抽出釦をクリックすることで、銘柄の抽出が開始される。抽出が行なわれ、抽出銘柄のチャートが表示されたのが、図４である。
【００５７】
２２５は参考銘柄の設定欄であり、２２６で銘柄名を入力する。単純、加重、変動移動平均株価の中で、２２７に移動平均株価の平均日数を入力した移動平均が比較相手の移動平均となる。単純移動平均株価は平均日数が一定で重み付けも等しく株価を平均化する移動平均株価であり、加重移動平均株価は平均日数が一定で重み付けを最新日に近い程大きくして、株価を平均化する移動平均株価である。変動移動平均株価は、本発明で考案した移動平均株価であり、平均日数を最新日から前の日になる毎に２２８の増分だけ増やしていく移動平均株価である。ゆっくり増やす時は、増分を１以下の小数にする。最新日付近は短期の移動平均株価に近く、過去になる程、長期の移動平均株価に近くなる。最新日付近は短期の移動平均株価で比較し、過去になる程、長期の移動平均株価で比較したい時でも、連続した１つの移動平均株価チャートで比較できる。
【００５８】
チャート図２２９は、上段は規格化移動平均株価チャート図であり、中段は移動平均株価の特徴的形状の比較図形、下段は規格化ボリンジャーバンド図である。ここでは、チャート図の上限と下限を１８０％と４０％としているが、参考銘柄や比較図形、抽出銘柄の値に応じて自動で切り替るようにしてもよい。２３３，２３４，２３５，２３６は、それぞれ、ゴールデンクロス、デッドクロス、山型、谷型の発生期間を示す。
【００５９】
下段の規格化ボリンジャーバンド図は、第２偏差のアッパーバンド（Ｕ．Ｂ．）を１００％、第２偏差のロワーバンド（Ｌ．Ｂ．）が０％になるようにボリンジャーバンドを規格した図である。第１偏差は７５％と２５％である。２３９は規格化ボリンジャーバンド上の移動平均株価チャートである。
【００６０】
図４では、図３とほぼ同様であるが、チャート図上には、比較図形と抽出された銘柄の規格化移動平均株価チャート２５１、２５２が表示される。参考銘柄が合致する比較図形を設定していた時には、参考銘柄も抽出銘柄として表示される。参考銘柄が合致しない比較図形を設定していた時には、参考銘柄は表示されない。比較図形２３０、２３１と同一チャート図上に抽出銘柄のチャートが表示されるので、希望通りのトレンドの銘柄が抽出されたかが容易に確認できる。比較図形の形状を微調整して、再度、抽出をすることで、銘柄を絞り込んだり、増やしたりすることができる。２０２の「抽出銘柄一覧へ」釦をクリックすることで、図６の抽出銘柄一覧画面に移る。
【００６１】
図６では、３０４に画面の名称の「抽出銘柄一覧」が表示され、中央に抽出された複数の銘柄表示枠３０６、３１６、３１７、３１８、３１９、３２０が表示される。３０５の上下、左右の移動用矢印をクリックすることで、隠れている銘柄を表示することができる。銘柄表示枠３０６には、銘柄名３０７と、「参考図形へ」釦３０８と、「詳細情報へ」釦３０９と、チャート図３１０が表示される。チャート図３１０上には、比較図形３１１、３１５と、規格化移動平均株価チャート３１１と、Ｂ．Ｂ．上の規格化移動平均株価チャート３１４が表示される。移動平均株価の特徴的な形状を示す比較図形が設定されている時には、チャート図の中間の３１３に表示される。同じ比較図形で抽出された銘柄なので、比較図形３１１、３１４は全ての抽出された銘柄で同じである。「参考図形へ」釦３０８をクリックすることで、その銘柄を参考銘柄として、比較図形設定画面の図３に移る。「詳細情報へ」釦３０９をクリックすると、ポータルサイトや証券会社等の株価情報を提供しているサイトを開き、その銘柄の株価情報やニュース等を表示する。
【００６２】
図３の「比較図形トレンドへ」釦２０２をクリックすることで、多くのユーザが設定した比較図形の内で時価総額が上昇又は下降した比較図形を合成した合成図形を表示する図７の比較図形トレンド画面に移れる。図３では、参考銘柄のチャートを表示させながら比較図形を設定したが、図７の「参照図形へ」釦をクリックすることで、比較図形を上昇又は下降トレンドを参照図形にして、比較図形を設定できるようになる。
【００６３】
図７の３５１は画面の名称の「比較図形トレンド」である。３５２は比較図形の設定日と時価総額の上昇率の評価日からなる評価期間であり、ここでは、ユーザが７月７日に設定した比較図形を７月１０日に評価した結果が表示される。右側の上下釦で期間を変更できる。３５３には比較図形に合致した銘柄の３日間の時価総額の上昇率の上位１０％以内の比較図形を合成した合成図形であることが表示されている。右側の上下釦で上昇率の範囲を変更できる。上昇率の下位１０％以内の比較図形を合成した合成図形とすることで、時価総額が下降している合成図形の選択も可能である。時価総額の上昇率で絞り込まない合成図形を選択できるようにしてもよい。上昇率で絞り込めば、比較図形の上昇、下降トレンドが分かり、絞り込まなければ、比較図形の入力のトレンドが分る。期間が3日未満の時には、時価総額の変化が決まらないので、時価総額の上昇率で絞り込まない合成図形だけになる。
【００６４】
３５５は全市場の銘柄を対象にした抽出であり、３６３は１部２部市場、３６４は新興市場、３６５は不動産銘柄、３６６は電機関連銘柄、３６７は銀行関連銘柄に対する比較図形の合成銘柄である。対象とする銘柄の属する市場や業種毎の合成図形を作成することで、複数の合成図形が得られる。３５４の上下、左右の移動用矢印をクリックすることで、隠れている合成図形を表示することができる。
【００６５】
３５６に市場又は業種名が表示される。３６８は合成した比較図形の数である。
チャート図３５８は、上段は規格化移動平均株価チャート図であり、中段は移動平均株価の特徴的形状の比較図形、下段は規格化ボリンジャーバンド図であり、それぞれに対応する比較図形の合成図形３５９、３６０、３６１が表示される。「詳細情報へ」釦３０９をクリックすると、ポータルサイトや証券会社等の株価情報を提供しているサイトを開き、その業種や市場に関する株価情報やニュース等を表示する。３５７の「参考図形へ」釦をクリックすると、「参考図形へ」釦の所の合成図形を参考図形とする比較図形設定画面の図５に移動する。
【００６６】
図５では、チャート図上に図３の参考銘柄チャートの代りに合成図形２７１が表示される。
２７１は通常の移動平均株価用の比較図形の合成図形、２７２、２７３、２７４、２７５はそれぞれ、ゴールデンクロス、デッドクロス、山型、谷型の比較図形の合成図形であり、２７６は規格化ボリンジャーバンド図用の比較図形の合成図形である。図５では合成図形の重なりの多い箇所を濃い色にしているが、色と濃さを変えるようにしても良い。ユーザは合成図形を見ることで、多のユーザが設定した比較図形のトレンドを考慮しながら比較図形を設定することができる。勿論、気になる銘柄があれば、その銘柄を参考銘柄に指定して、参考銘柄チャートと合成図形の両方を表示させながら比較図形を設定してもよい。
【００６７】
合成図形の色の濃さで、所定の市場や業種で、時価総額が所定の上昇をするのに、どのような比較図形が多かったかが分る。評価期間分のずれがあるので、合成図形に似た比較図形で銘柄を抽出したとしても、常に同じパーフォーマンスが得られるとはかぎらないが、市場全体のトレンドが安定していれば、同等の比較図形で、大雑把には同等のパーフォーマンスが得られると期待できる。従来から一般的に行なわれている銘柄ランキングの場合は、その時点での株価の上昇率の高い銘柄を表示するだけであり、注目銘柄が分るが、トレンドが分るわけではない。往々にして、何らかの個別情報で一気に上昇した銘柄が上位になりことがあり、その場合、「三日天井」ですぐに下がってしまうこともあり、銘柄ランキング上位の銘柄が、今後も上昇すると考えるのは、非常に危険である。本発明のように合成図形である程度トレンドが分る場合は、合成図形を基に比較図形を設定することで、トレンドに合った銘柄を抽出できる。合成図形の形状でトレンドが安定している間は、毎日同じ比較図形で抽出を行ない続け、合成図形の形状が大きく変化したら、トレンドが変化したと判断して、比較図形を変えるというようなことも出来る。
【００６８】
図９のａ）に比較図形の詳細設定を行なう比較表、ｂ）に対応する比較図形を示す。比較表の位置Ｎｏ１の図形は、形状Ｎｏがａの絶対値直線形状の４０５であり、評価日は５日前の１つだけであり、上限が１０５％、下限が７５％である。位置Ｎｏ２の図形は、形状Ｎｏがｂの絶対値三角形状の４０６であり、評価日１は０日前、即ち最新日であり、評価日２は３日前であり、上限が１０５％、下限が７５％である。最新日で規格化しているので、最新日に規格化移動平均株価は瀬部手の銘柄で共通なので、絶対値三角形状を使うことができる。極最近の値動きで抽出するのに適している。位置Ｎｏ３の図形は、形状Ｎｏがｃの絶対値四角形状の４０４であり、評価日１は８日前で上限が１０５％、下限が７５％であり、評価日２は１２日前であり、上限が１０５％、下限が７０％である。位置Ｎｏ４の図形は、形状Ｎｏがｄの相対値四角形状の４０２であり、評価日１は１５日前で上限が１４０％、下限が１１５％であり、評価日２は１９日前であり、上限が１７０％、下限が１４５％である。相対値なので、上限と下限を５０％下げた図形４１５でも同じ相対値図形である。規格化移動平均株価チャート４０３に合わせた位置の４０２の方が理解しやすい。
【００６９】
位置Ｎｏ５の図形は、形状Ｎｏがｅのゴールデンクロス形状の４０７であり、評価日１は０日前、即ち最新日であり、評価日２は３日前であり、短期と長期の移動平均株価の平均日数は３日と５日である。位置Ｎｏ６の図形は、形状Ｎｏがｆのデッドクロス形状の４０８であり、評価日１は１１日前、評価日２は１７日前であり、短期と長期の移動平均株価の平均日数は５日と１０日である。位置Ｎｏ７の図形は、形状Ｎｏがｇの山型形状の４０９であり、評価日１は１３日前、評価日２は１９日前であり、８日単純移動平均株価である。位置Ｎｏ８の図形は、形状Ｎｏがｈの谷型形状の４１０であり、評価日１は７日前、評価日２は１３日前であり、８日単純移動平均株価である。
【００７０】
位置Ｎｏ９の図形は、形状ＮｏがｉのＢ．Ｂ．に対する絶対値直線形状の４１３であり、評価日は６日前、上限が５０％、下限が５％である。位置Ｎｏ１０の図形は、形状ＮｏがｊのＢ．Ｂ．に対する絶対値四角形状の４１４であり、評価日１は０日前で上限が５０％、下限が２５％であり、評価日２は３日前であり、上限が２５％、下限が０％である。位置Ｎｏ１１の図形は、形状ＮｏがｋのＢ．Ｂ．に対する相対値四角形状の４１１であり、評価日１は１３日前で上限が１０％、下限が−５％であり、評価日２は１７日前であり、上限が５０％、下限が１５％である。相対値なので、上限と下限を上下にずらしても同じ相対値図形である。ここでは規格化移動平均株価チャート４１２に合わせた位置にしている。
【００７１】
図１０に移動平均株価が相対値比較図形に合致するかの判断と、相対値図形から絶対値図形を求める手順を示す。ａ）の比較表の位置Ｎｏ１の相対値四角形は、ｂ）のチャート図では上限４３２で下限が４３３の比較図形４３１で表示される。移動平均株価チャートは４３４である。ｃ）に示すように、上限４３２とチャート４３４の各評価日の株価の差の最小値ΔＨ分だけ、上限４３２をずらしたのが４３５である。上限−ΔＨ＝６０５≧移動平均株価となる。ｄ）に示すように、下限４３３とチャート４３４の各評価日の株価の差の最大値ΔＬ分だけ、下限４３３をずらしたのが４３６である。移動平均株価≧６０６＝下限−ΔＬとなる。上限−ΔＨ≧下限−ΔＬ、即ち、上限−下限≧ΔＨ−ΔＬとなり、評価期間内の任意の日で成り立つ為には、上限と下限の差の最小値≧ΔＨ−ΔＬである必要があり、これが成り立てば移動平均株価は相対値比較図形に合致していると言える。
【００７２】
上限を最大ΔＨ、下限を最小ΔＬ移動させる分には、移動平均株価に合致するので、上下を均等に合致させるには、ΔＨとΔＬの平均のΔＨＬ分移動させればよい。従って、ｅ）に示すように、相対値比較図形の上限４３２と下限４３３を、それぞれΔＨＬ移動させることで、上限４３７と下限４３８が移動平均株価に対してほぼ均等な絶対値比較図形４３９を得ることが出来る。比較表の位置Ｎｏ２は、位置Ｎｏ１の相対値四角形を絶対値化した絶対値四角形であり、評価１の上限、下限と評価２の上限、下限がそれぞれ、１３５、１１５、１６５、１３０から、ΔＨＬ＝４０だけ小さくなり、９５、７５、１２５、９０となっている。
【００７３】
図１１に比較図形の合成図の作成手順を、説明の為に今日から7日前までの期間で、規格化移動平均株価が６０％〜１１５％と小さいチャート図を用いて示す。チャート図を小さな単位長方形に分割し、それぞれの単位長方形を行列の要素に対応させることで、比較図形の合成を行なう。ａ）の比較図形５０１を、単位長方形で表したのが５０２であり、行列で表したのが比較図形行列Ｑ（１、ｔ、ｙ）である。Ｑ（１、ｔ、ｙ）の１は比較図形の番号で、ｔは日付を変換した値５１０で、ｙは規格化移動平均株価を５％の分解能で変換した値５１１である。同様に、ｂ）の比較図形５０３を、単位長方形で表したのが５０４であり、行列で表したのが比較図形行列Ｑ（２、ｔ、ｙ）である。
ｃ）の５０５はａ）とｂ）の比較図形を合成した合成図形であり、単位長方形で表したのが５０６であり、行列で表したのが比較図形行列Ｑ（ｔ、ｙ）である。行列の加算であり、重なりがない箇所は１で、重なった箇所は２である。ｄ）は重なりに応じた濃淡を付けた合成図形であり、重なりのない５０７、５０９は薄い色であり、重なりのある５０８は濃い色である。
【００７４】
実際のチャート図の時間軸や株価の範囲は大きいので、行列もその分大きくなる。比較図形の数も多くなるので、重なる数も大きくなる。比較図形の無い箇所を白色にし、重なりの一番大きい箇所を濃い赤色にし、重なりが少なくなるにしたがい、赤色を薄く、黄色を濃くしていくような濃淡を付けることで、重なり具合が一目で分るようになる。比較図形を濃い青色、チャートを薄い青色とすることで、比較図形やチャートの区別も容易に付けることができる。色は他の組合せでも構わない。
【００７５】
図１２に業種トレンド図形の作成手順を示す。ａ）のチャート５２１を、単位長方形で表したのが５２２であり、行列で表したのが比較図形行列Ｃ（１、ｔ、ｙ）である。同様に、ｂ）のチャート５２３を、単位長方形で表したのが５２４であり、行列で表したのが比較図形行列Ｃ（２、ｔ、ｙ）である。ｃ）の５２５はａ）とｂ）の比較図形を合成した合成図形であり、単位長方形で表したのが５２６であり、行列で表したのが比較図形行列Ｃ（ｔ、ｙ）である。行列の加算であり、重なりがない箇所は１で、重なった箇所は２である。ｄ）は重なりに応じた濃淡を付けた業種トレンド図形であり、重なりのない５２７は薄い色であり、重なりのある５２８は濃い色である。
【００７６】
図１１と同様に、実際のチャート図の時間軸や株価の範囲は大きいので、行列もその分大きくなる。チャートの数も多くなるので、重なる数も大きくなる。チャートの無い箇所を白色にし、重なりの一番大きい箇所を濃い赤色にし、重なりが少なくなるにしたがい、赤色を薄く、黄色を濃くしていくような濃淡を付けることで、重なり具合が一目で分るようになる。比較図形を濃い青色、抽出されたチャートを薄い青色とすることで、比較図形やチャートの区別も容易に付けることができる。色は他の組合せでも構わない。
【００７７】
図１３に情報端末の本発明に関わるメインフロー、図１４ａ）に参考銘柄のチャート表示処理、ｂ）に銘柄のチャート表示処理を示す。図１５ａ）にチャート行列の算出処理、ｂ）にチャート図形の合成処理を示す。情報端末の処理は、サーバによる内容の更新が容易なので、ホームページの方が保守管理に優れる。勿論、情報端末に記憶されたアプリケーションプログラムでも構わない。ホームページの開始により、図１３の情報端末のメインフローが実行される。Ｓ１０１で「比較図形設定画面」を表示し、Ｓ１０２で比較図形の合成図形情報をサーバから受信する。Ｓ１０３で未受信の株価があれば、株価提供サイトにアクセスし、未受信の株価を入手する。Ｓ１３３で、業種銘柄情報を基に各業種・市場毎に規格化移動平均株価チャートを作成する。Ｓ１３４でチャートを合成し、合成図形情報を算出する。
【００７８】
Ｓ１０５で表示画面の切替えがあれば、Ｓ１０６で指定された画面に切替える。Ｓ１０７で参考銘柄名が入力されたら、Ｓ１０８で銘柄のチャート表示を行なう。Ｓ１０９で「新規作成」釦のクリックを検出したら、Ｓ１１０で比較表のデータと比較図面をクリアし、作成済みの最大の比較Ｎｏを＋１して、新規の比較Ｎｏを設定する。Ｓ１１１で「図形クリア」釦をクリックされたら、Ｓ１１２で選択されている位置Ｎｏの図形を比較表とチャート図からクリアする。Ｓ１１３で「前の図形へ」釦、又は、「後の図形へ」釦のクリックを検出したら、Ｓ１１４で比較Ｎｏを＋１、又は、−１し、対応する比較表データと比較図形を表示する。Ｓ１１５で比較表を直接編集されたら、Ｓ１１６で編集された比較表データに比較図形を合わせる。Ｓ１１７で、チャート図上で比較図形を変形されたら、Ｓ１１８で変形された比較図形に比較表データを合わせる。Ｓ１１９で「抽出開始」釦をクリックされたら、Ｓ１２０で銘柄抽出を行ない、Ｓ１２１で抽出銘柄のチャート表示を行なう。
【００７９】
Ｓ１２２で「上」釦、又は、「下」釦、又は「左」釦、又は、右」釦をクリックされたら、Ｓ１２３でクリックされたボタンに応じて表示位置を移動する。Ｓ１２４で比較図形トレンド画面の「トレンド日付」釦３５２をクリックされたら、Ｓ１２５でクリックに応じて、比較図形トレンドの日付を変更する。Ｓ１２６で「トレンド種類」釦をクリックされたら、Ｓ１２７でクリックに応じて、時価総額の上昇判断の期間を変更する。Ｓ１２８で「参考図形に」釦をクリックされたら、Ｓ１２９でクリック位置の銘柄を参考銘柄にして、比較図形設定画面に移動する。Ｓ１３０で「詳細情報へ」釦をクリックされたら、Ｓ１３１でクリック位置の銘柄を引数にして、株価提供サイトの情報提供ページを開き、別ウインドウで表示する。Ｓ１３２でホームページが終了されるまで、Ｓ１０５の間を繰り返す。
【００８０】
図１４ａ）の参考銘柄のチャート表示処理は、図１３にｓ１２１の詳細である。Ｓ２０１で抽出銘柄の中で未表示の銘柄を選び、Ｓ２０２で銘柄のチャート表示を行なう。Ｓ２０３で抽出銘柄を全て表示するまで、Ｓ２０１との間を繰返す。
【００８１】
ｂ）の銘柄のチャート表示処理は、図１４ａ）のＳ２０２、図１３のＳ１０８の詳細である。Ｓ２１１で入力された銘柄の株価データを読出す。Ｓ２１２で指定が単純移動平均株価の時は、Ｓ２１３で指定された日数の単純移動平均株価を算出する。Ｓ２１４で指定が加重移動平均株価の時は、Ｓ２１５で指定された日数の加重移動平均株価を算出し、そうでない時は、Ｓ２１６で指定された日数と変動日の変動移動平均株価を算出する。Ｓ２１６で移動平均株価を最新日の移動平均株価で割算し、規格化移動平均株価を算出し、Ｓ２１８で規格化移動平均株価チャートを作図する。Ｓ２１９でボリンジャーバンド用の単純移動平均株価を算出し、Ｓ２２０でボリンジャーバンド（Ｂ．Ｂ．）のアッパーバンド（Ｕ．Ｂ．）とロワーバンド（Ｌ．Ｂ．）を算出する。Ｓ２２１でボリンジャーバンド用規格化移動平均株価を、（移動平均株価−Ｌ．Ｂ．）×１００／（Ｕ．Ｂ．−Ｌ．Ｂ．）で算出する。
【００８２】
図１５ａ）にチャート行列の算出処理を示す。Ｓ２５１でチャート行列Ｒ（ｎ、ｔ、ｙ）の全要素を０にし、Ｓ２５２で未チャックの位置Ｎｏの比較図形を比較図形とする。ｎはチャートの番号である。Ｓ２５３で未チャック日をチェック日ｔとし、Ｓ２５４でチェック日tの規格化移動平均株価を１００倍しパーセント値をＹ（ｔ）にセットする。Ｓ２５５で、Ｙ（ｔ）を単位長方形のどの位置にあるかを算出する為に、１１５からＹ（ｔ）を引き２を足して５で割り小数を切り捨てて、ｙ（ｔ）を算出する。Ｓ２５６でチャート行列のチャート位置Ｒ（ｎ、ｔ、ｙ（ｔ））を１にする。Ｓ２５７で比較期間をチェックするまでＳ２５３間の処理を行なう。Ｓ２５８で、全位置ＮｏでチェックするまでＳ２５２間を繰返し、チャート行列Ｒ（ｎ、ｔ、ｙ）を算出する。
【００８３】
ｂ）はチャート図形の合成処理である。Ｓ２７１でチャート合成行列Ｒ（ｔ、ｙ）の全要素を０にし、Ｓ２７２で未加算のチャート行列番号をｊとし、Ｓ２７３でチャート合成行列Ｒ（ｔ、ｙ）にチャート行列Ｒ（ｊ、ｔ、ｙ）を加算する。Ｓ２７４で対象のチャート行列を算出するまで、Ｓ２７２間を繰返し、チャート合成行列Ｒ（ｔ、ｙ）を算出する。このままでは、加算するチャートの数によって、行列の要素の値がばらばらなので、Ｓ２７５でチャート合成行列Ｒ（ｔ、ｙ）の要素を１６倍し要素の最大値で割り四捨五入して、０から１５の値に規格化する。Ｓ２７６で全要素を規格化するまで繰返す。出来上がったチャート合成行列Ｒ（ｔ、ｙ）を基にチャート合成図形を作図する時は、各要素が対応するチャート図上の単位長方形に、各要素の０から１５の値を対応する色を塗ることで行なう。０ならば白色、1ならば黄色、２から１４になるに従って、黄色成分を減らし赤色成分を増やし、１５で完全に赤色する。０から１５に対応した色に関するテーブルデータを用意することで容易に実現できる。
【００８４】
図１６ａ）にサーバのメインフロー、ｂ）に合成図形の算出処理、図１７に合成図形の算出処理のサブルーチンを示す。図１６ａ）でサーバが起動すると、Ｓ３０１で株価提供サイトにアクセスし、未受信の「株価データ」と「発行株数データ」を入手する。Ｓ３０２で合成図形の算出処理を行なう。Ｓ３０３で深夜３時になる毎にＳ３０１、Ｓ３０２の処理を行なう。Ｓ３０４で情報端末からの最初のアクセスがあると、Ｓ３０５でホームページデータを送信し、Ｓ３０６で比較図形トレンド情報を送信する。Ｓ３０７で比較図形情報を受信したら、Ｓ３０８で受信した比較図形情報を記憶する。Ｓ３０９でサーバを終了するまで、Ｓ３０３からＳ３０９間を繰返す。
【００８５】
ｂ）に合成図形の算出処理を示す。Ｓ３２１でＤＴを市場の最新営業日とし、Ｓ３２２でｄｔを３営業日前とする。Ｓ３２３でｉを合成図形の未作成の市場業種Ｎｏとする。Ｓ３２４で合致比較図形の算出を行ない、市場iに合致する比較図形を配列P(i,DT)にセットする。Ｓ３２５で合成図形の作成を行ない、配列P(ｉ、ＤＴ）の合成図形をＭ（ｉ、ＤＴ）にセットする。Ｓ３２６で３日前ｄｔから最新営業日ＤＴまでの時価総額上昇率ｄ（ｉ、ｄｔ、ＤＴ）を算出する。
【００８６】
Ｓ２５７で時価総額上昇率上位１０％の合成図形Ｍ１０（ｉ、ｄｔ、ＤＴ）を算出する。Ｍ１０（ｉ、ｄｔ、ＤＴ）を見ることで、その市場業種の３日間の株価の上昇率の高い銘柄を抽出するのに適していた比較図形の傾向が分る。株価のトレンドが安定していれば、似た比較図形で値上がりする銘柄を抽出できる可能性が高いと言える。Ｓ２５８で時価総額上昇率下位１０％の合成図形Ｍ９０（ｉ、ｄｔ、ＤＴ）を算出する。Ｍ９０（ｉ、ｄｔ、ＤＴ）を見ることで、その市場業種の３日間の株価の下降率の高い（上昇率の低い）銘柄を抽出するのに適していた比較図形の傾向が分る。株価のトレンドが安定していれば、似た比較図形で値下がりする銘柄を抽出できる可能性が高いと言える。Ｓ３２８で、全市場業種で合成図形を算出するまで、Ｓ３２３間を繰返す。本発明では上昇率が上位１０％と下位１０％の合成図形を算出しているが、他の範囲の合成図形を算出しても構わない。
【００８７】
図１７ａ）に合致比較図形の算出処理を示す。Ｓ４０１で市場業種Ｎｏｉに属する銘柄の配列Ｃ（ｉ）を候補銘柄とし、Ｓ４０２で比較図形配列Ｐ（ｉ、ＤＴ）の全要素を０にし、Ｓ４０３で抽出銘柄配列Ｃ（ｉ、ＤＴ）の全要素を０にする。Ｓ４０４で、日付ＤＴの比較図形配列Ｐ（ＤＴ）内の未抽出の比較図形を比較図形とし、Ｓ４０５で銘柄抽出処理を行なう。Ｓ４０６で、抽出銘柄が０でなければ、Ｓ４０７で、比較図形配列Ｐ（ｉ、ＤＴ）に抽出に使用しや比較図形を追加し、Ｓ４０８で、抽出銘柄配列Ｃ（ｉ、ＤＴ）に抽出された銘柄を追加する。抽出銘柄がない場合は、その比較図形に合致する銘柄がないので、比較図形配列Ｐ（ｉ、ＤＴ）と抽出銘柄配列Ｃ（ｉ、ＤＴ）には何も追加しない。Ｓ４０９で、比較図形配列Ｐ（ＤＴ）内の全ての比較図形で抽出するまで、Ｓ４０４間を繰返すことで、市場業種Ｎｏｉに属する銘柄に関して、比較図形配列Ｐ（ｉ、ＤＴ）と抽出銘柄配列Ｃ（ｉ、ＤＴ）を算出される。Ｓ４１０で、比較図形配列Ｐ（ｉ、ＤＴ）内の比較図形の数を数えることで、日付DTの市場iに合致銘柄のある比較図形の数Ｎ（ｉ、ＤＴ）を算出する。
【００８８】
ｂ）に時価総額上昇率算出処理を示す。Ｓ４２１で、市場業種ｉに合致銘柄のある日付ｄｔの比較図形を比較図形配列Ｐ（ｉ、ｄｔ）にセットし、Ｓ４２２で比較図形配列Ｐ（ｉ、ｄｔ）内の比較図形の数を配列Ｎ（ｉ、ｄｔ）にセットする。Ｓ４２３で抽出銘柄配列Ｃ（ｉ、ｄｔ）内の銘柄の日付dtの時価総額の合計を配列Ｓｐ（ｉ、ｄｔ、ｄｔ）にセットし、Ｓ４２４で抽出銘柄配列Ｃ（ｉ、ｄｔ）内の銘柄の日付ＤＴの時価総額の合計を配列Ｓｐ（ｉ、ｄｔ、ＤＴ）にセットする。Ｓ４２５で、｛Ｓｐ（ｉ、ｄｔ、ＤＴ）−Ｓｐ（ｉ、ｄｔ、ｄｔ）｝×１００／Ｓｐ（ｉ、ｄｔ、ｄｔ）により、比較図形配列Ｐ（ｉ、ｄｔ）の日付dt〜DT間の時価総額上昇率を算出し、配列Ｄｐ（ｉ、ｄｔ、ＤＴ）にセットする。
【００８９】
ｃ）に上昇率上位の合成図形算出処理を示す。Ｓ４４１で、時価総額上昇率配列Ｄｐ（ｉ、ｄｔ、ＤＴ）の上位１０％の比較図形を比較図形配列Ｐ１０（ｉ、ｄｔ）にセットし、Ｓ４４２で、時価総額上昇率配列Ｄｐ（ｉ、ｄｔ、ＤＴ）の上位１０％の比較図形合致銘柄を比較図形合致銘柄配列Ｐ１０（ｉ、ｄｔ）にセットする。Ｓ４４３で、比較図形配列Ｐ１０（ｉ、ｄｔ）を合成し、合成図形を配列Ｍ１０（ｉ、ｄｔ）にセットする。Ｓ４４４で、比較図形配列Ｐ１０（ｉ、ｄｔ）内の数を配列Ｎ１０（ｉ、ｄｔ）にセットする。Ｓ４４５で抽出銘柄配列Ｃ１０（ｉ、ｄｔ）内の銘柄の日付dtの時価総額の合計を配列Ｓｐ１０（ｉ、ｄｔ、ｄｔ）にセットし、Ｓ４４６で抽出銘柄配列Ｃ１０（ｉ、ｄｔ）内の銘柄の日付ＤＴの時価総額の合計を配列Ｓｐ１０（ｉ、ｄｔ、ＤＴ）にセットする。Ｓ４４７で、｛Ｓｐ１０（ｉ、ｄｔ、ＤＴ）−Ｓｐ１０（ｉ、ｄｔ、ｄｔ）｝×１００／Ｓｐ１０（ｉ、ｄｔ、ｄｔ）により、比較図形配列Ｐ１０（ｉ、ｄｔ）の日付dt〜DT間の時価総額上昇率を算出し、配列Ｄｐ１０（ｉ、ｄｔ、ＤＴ）にセットする。
【００９０】
ｄ）に上昇率下位の合成図形算出処理を示す。Ｓ４５１で、時価総額上昇率配列Ｄｐ（ｉ、ｄｔ、ＤＴ）の下位１０％の比較図形を比較図形配列Ｐ９０（ｉ、ｄｔ）にセットし、Ｓ４５２で、時価総額上昇率配列Ｄｐ（ｉ、ｄｔ、ＤＴ）の下位１０％の比較図形合致銘柄を比較図形合致銘柄配列Ｐ９０（ｉ、ｄｔ）にセットする。Ｓ４５３で、比較図形配列Ｐ９０（ｉ、ｄｔ）を合成し、合成図形を配列Ｍ９０（ｉ、ｄｔ）にセットする。Ｓ４５４で、比較図形配列Ｐ９０（ｉ、ｄｔ）内の数を配列Ｎ９０（ｉ、ｄｔ）にセットする。Ｓ４５５で抽出銘柄配列Ｃ９０（ｉ、ｄｔ）内の銘柄の日付dtの時価総額の合計を配列Ｓｐ９０（ｉ、ｄｔ、ｄｔ）にセットし、Ｓ４５６で抽出銘柄配列Ｃ９０（ｉ、ｄｔ）内の銘柄の日付ＤＴの時価総額の合計を配列Ｓｐ９０（ｉ、ｄｔ、ＤＴ）にセットする。Ｓ４５７で、｛Ｓｐ９０（ｉ、ｄｔ、ＤＴ）−Ｓｐ９０（ｉ、ｄｔ、ｄｔ）｝×１００／Ｓｐ９０（ｉ、ｄｔ、ｄｔ）により、比較図形配列Ｐ９０（ｉ、ｄｔ）の日付dt〜DT間の時価総額上昇率を算出し、配列Ｄｐ９０（ｉ、ｄｔ、ＤＴ）にセットする。
【００９１】
ｃ）、ｄ）と同様の手順で時価総額の上昇率が上位１０％と下位１０％以外の任意の範囲の合成図形を算出、比較図形トレンド画面で表示してもよい。本発明では、深夜3時に合成図形の算出処理を行なっているが、サーバの配信処理と並列に行なうようにして、1時間毎に行なうようにし、最新の合成図形をいち早く提供するようにしてもよい。
【００９２】
図１８に銘柄抽出処理を示す。Ｓ５０１で位置Ｎｏを１にする。Ｓ５０２で現在の位置Ｎｏの図形Ｎｏがａからｄであれば、Ｓ５０３で評価期間の移動平均株価を算出する。Ｓ５０４で移動平均株価を最新日の移動平均株価で割算をして規格化移動平均株価を算出する。Ｓ５０５で評価期間の途中の市場の営業日の上限と下限を算出する。Ｓ５０６で設定期間中に移動平均株価が上限と下限内かチェックし、範囲外の時はＳ５１９で候補銘柄から範囲外の銘柄を削除する。Ｓ５０７で現在の位置Ｎｏの図形Ｎｏがｅ、ｆの時は、Ｓ５０８で設定された短期と長期の２つの移動平均株価を算出する。Ｓ５０９で、図形Ｎｏがｅでゴールデンクロス（Ｇ．Ｋ．）以外、且つ、図形Ｎｏがｆでデッドクロス（Ｄ．Ｋ．）以外の時は候補銘柄から範囲外の銘柄を削除する。Ｓ５１０で現在の位置Ｎｏの図形Ｎｏがｇ、ｈの時は、Ｓ５１１で設定された短期と長期の２つの移動平均株価を算出する。Ｓ５１２で、図形Ｎｏがｇで山型以外、且つ、図形Ｎｏがｈで谷型以外の時は候補銘柄から範囲外の銘柄を削除する。
【００９３】
Ｓ５１３で現在の位置Ｎｏの図形Ｎｏがｉからｋの時は、Ｓ５１４で評価期間の単純移動平均株価を算出し、Ｓ５１５で評価期間のボリンジャーバンドを算出する。Ｓ５１６で（単純移動平均株価−Ｌ．Ｂ．）×１００／（Ｕ．Ｂ．−Ｌ．Ｂ．）よりＢ．Ｂ．規格化移動平均株価を算出する。Ｓ５１７で評価期間の途中の上限と下限を算出し、Ｓ５１８で評価期間中上限と下限内かチェックし、範囲外の時は、Ｓ５１９で候補銘柄から範囲外の銘柄を削除する。Ｓ５２０で位置Ｎｏを＋１し、Ｓ５２１で全位置Ｎｏの比較図形をチャックするまで、Ｓ５０２との間を繰返し、比較図形に合致しない銘柄を候補銘柄から削除していく。Ｓ５２２で全ての候補銘柄をチャックしていなければ、Ｓ５２３で未チェック銘柄をチェック銘柄として、Ｓ５０１に移る。全ての候補銘柄をチェックしたら、Ｓ５２４で削除されずに残った候補銘柄を抽出銘柄とする。
【００９４】
図１９に移動平均株価の特徴的な形状の判断フローを示す。ａ）はゴールデンクロスの判断フローである。Ｓ６０１で、比較図形期間の前日と最終日の短期の移動平均株価をＰｓ（ｄ−１）とＰｓ（ｄ＋ｕ）にセットし、Ｓ６０２で、比較図形期間の前日と最終日の長期の移動平均株価をＰｌ（ｄ−１）とＰｌ（ｄ＋ｕ）にセットする。Ｓ６０３で、Ｐｓ（ｄ−１）＜Ｐｌ（ｄ−１）、且つ、Ｐｓ（ｄ−ｕ）＞Ｐｌ（ｄ−ｕ）の時に、期間内にゴールデンクロスがあると判断する。期間内にＧ．Ｋ．とＤ．Ｋ．が同数ある時は、Ｇ．Ｋ．なしと判断し、Ｇ．Ｋ．がＤ．Ｋ．よりも１つ多く発生すれば、Ｇ．Ｋ．ありと判断することになる。
【００９５】
ｂ）はＤ．Ｋ．の判断フローである。Ｓ６１１で、比較図形期間の前日と最終日の短期の移動平均株価をＰｓ（ｄ−１）とＰｓ（ｄ＋ｕ）にセットし、Ｓ６１２で、比較図形期間の前日と最終日の長期の移動平均株価をＰｌ（ｄ−１）とＰｌ（ｄ＋ｕ）にセットする。Ｓ６１３で、Ｐｓ（ｄ−１）＞Ｐｌ（ｄ−１）、且つ、Ｐｓ（ｄ−ｕ）＜Ｐｌ（ｄ−ｕ）の時に、期間内にＤ．Ｋ．があると判断する。期間内にＤ．Ｋ．とＧ．Ｋ．が同数ある時は、Ｄ．Ｋ．なしと判断し、Ｄ．Ｋ．がＧ．Ｋ．よりも１つ多く発生すれば、Ｄ．Ｋ．ありと判断することになる。
【００９６】
ｃ）は山型判断である。Ｓ６２１で、比較図形期間ｄ〜ｄ+ｕの移動平均株価を、Ｐ（ｄ）〜Ｐ（ｄ＋ｕ）にセットし、Ｓ６２２で、Ｐ（ｄ）〜Ｐ（ｄ＋ｕ）の平均をＰａｖｅにセットする。Ｓ６２３で、比較図形期間の前後の移動平均株価を、Ｐ（ｄ−１）とＰ（ｄ＋ｕ＋１）にセットする。Ｓ６２４で、Ｐａｖｅ＞Ｐ（ｄ−１）、且つ、Ｐａｖｅ＞Ｐ（ｄ＋ｕ＋１）であれば、期間内に山型があると判断する。期間内に山型と谷型が同数ある時は、山型なしと判断し、山型が谷型よりも１つ多く発生すれば、山型ありと判断することになる。
【００９７】
ｄ）は谷型判断である。Ｓ６３１で、比較図形期間ｄ〜ｄ+ｕの移動平均株価を、Ｐ（ｄ）〜Ｐ（ｄ＋ｕ）にセットし、Ｓ６３２で、Ｐ（ｄ）〜Ｐ（ｄ＋ｕ）の平均をＰａｖｅにセットする。Ｓ６３３で、比較図形期間の前後の移動平均株価を、Ｐ（ｄ−１）とＰ（ｄ＋ｕ＋１）にセットする。Ｓ６３４で、Ｐａｖｅ＜Ｐ（ｄ−１）、且つ、Ｐａｖｅ＜Ｐ（ｄ＋ｕ＋１）だれば、期間内に谷型があると判断する。期間内に谷型と山型が同数ある時は、谷型なしと判断し、谷型が山型よりも１つ多く発生すれば、山型ありと判断することになる。
【００９８】
図２０のａ）に相対値比較図形合致判断処理、ｂ）に相対値図形の絶対値化処理のフローを示す。図１０の具体的な処理である。ａ）の相対値比較図形合致判断処理では、Ｓ７０１で、相対値比較図形の評価期間中の上限下限を直線補間で算出する。Ｓ７０２で、各評価日の上限値と移動平均株価の差の最小値をΔＨにセットする。Ｓ７０３で、各評価日の下限値と移動平均株価の差の最大値をΔＬにセットする。Ｓ０４で、（上限−下限）の最小値が、ΔH−ΔLよりも大きければ、合致と判断して、Ｓ７０５で合致フラグを１にする。そうでなければ、Ｓ７０６で合致フラグを０にする。
【００９９】
ｂ）の相対値図形の絶対値化処理では、Ｓ７１１でａ）の相対値比較図形合致判断処理を行ない、Ｓ７１２で合致フラグを判断する。合致フラグ＝１で、合致していれば、Ｓ７１３で、ΔＨとΔＬの平均値をΔＨＬとし、Ｓ７１４で、相対値比較図形の上限からΔHLを引いて絶対値比較図形の上限を算出し、Ｓ７１５で、相対値比較図形の下限からΔHLを引いて絶対値比較図形の下限を算出する。Ｓ７１４で、合致フラグ＝０の時は、絶対値比較図形を作成しないので何もしない。
【０１００】
数式１に単純移動平均株価の計算式を示す。ｎ日単純移動平均株価の場合、ｎ日間の終値の合計をｎで割ることで算出する。
【０１０１】
【数１】
2008026941.tif 000003
数式２に加重移動平均株価の計算式を示す。ｎ日加重移動平均株価の場合、ｎ日間の終値に最新日はｎから１まで係数を掛けた値の合計をｎから１までの合計で割ることで算出する。単純移動平均株価に比べて最新日に近づく程効きが大きくなる。
【０１０２】
【数２】
2008026941.tif 000004
【０１０３】
３日単純移動平均株価と３日加重移動平均株価と３日変動１／５日移動平均株価を表１に示す。３日単純移動平均株価は式１の通り、各終値の係数はなく、３日間の合計を３で割る。３日加重移動平均株価は式２の通り、各終値の係数は最新日が大きく、３日間の合計を３で割る。
【０１０４】
【表１】
2008026941.tif 000005
【０１０５】
３日変動１／５日移動平均株価は、最新日ｋ１は３日分の平均であるが、前日ｋ２は３日に１／５日加えた終値の平均であり、前の日になる毎に１／５日ずつ増やしていく。ｋ１では３日単純移動平均株価と同じであるが、５日前のｋ６では４日単純移動平均株価と同じである。最新日の平均日数の３日と増分の１／５日を変えることで、平均日数の増え方を変えることが出来る。比較図形の比較相手は、最新日に近くでは短期の平均日数の移動平均株価を用い、最新日に遠くでは長期の平均日数の移動平均株価を用いたい場合でも、変動移動平均株価を用いれば、移動平均株価が不連続にならなくてすむ。
【０１０６】
数式３にボリンジャーバンドの計算式を示す。Ｎ日移動平均標準偏差に係数Ｗ掛けた値をＮ日移動平均株価に加算、又は、減算して、アッパーバンドとロワーバンドを算出する。係数Ｗを１として第１標準偏差とすれば、値動きの約６６％、係数Ｗを２として第２標準偏差とすれば、値動きの約９５％がバンド内に収まることになる。ほぼ全体が収まるので、本発明では係数Ｗを２とする。  
【０１０７】
【数３】
2008026941.tif 000006
【０１０８】
図２１ａ）に比較行列の算出処理を示す。Ｓ８０１で比較行列Ｑ（ｎ、ｔ、ｙ）の全要素を０にし、Ｓ８０２で未チャックの位置Ｎｏの比較図形を比較図形とする。ｎはチャートの番号である。Ｓ８０３で未チャック日をチェック日ｔとし、Ｓ８０４でチェック日tの比較図形上限を１１５から引いて５で割り四捨五入した値をＨ（ｔ）にセットする。チャート図の上限が１１５％よりも大きい時は１１５を大きくする。単位長方形の高さが５％よりも小さい時は５を小さな値にする。Ｓ８０５でチェック日tの比較図形下限を１１５から引いて５で割り四捨五入した値をＬ（ｔ）にセットする。Ｓ８０６で、比較行列のチャック日ｔの要素の内で、Ｑ（ｎ、ｔ、Ｈ（ｔ））からＱ（ｎ、ｔ、Ｌ（ｔ））の要素を１にする。Ｓ８０７で全比較期間をチェックするまでＳ８０３間の処理を行なう。Ｓ８０８で、全位置ＮｏでチェックするまでＳ８０２間を繰返し、比較行列Ｑ（ｎ、ｔ、ｙ）を算出する。
【０１０９】
ｂ）はチャート図形の合成処理である。Ｓ８２１で比較合成行列Ｑ（ｔ、ｙ）の全要素を０にし、Ｓ８２２で未加算の比較行列番号をｊとし、Ｓ８２３で比較合成行列Ｑ（ｔ、ｙ）に比較行列Ｑ（ｊ、ｔ、ｙ）を加算する。Ｓ８２４で対象の比較行列を加算するまで、Ｓ８２２間を繰返し、比較合成行列Ｑ（ｔ、ｙ）を算出する。このままでは、加算する比較図形の数によって、行列の要素の値がばらばらなので、Ｓ８２５で比較合成行列Ｑ（ｔ、ｙ）の要素を１６倍し要素の最大値で割り四捨五入して、０から１５の値に規格化する。Ｓ８２６で全要素を規格化するまで繰返す。出来上がった比較合成行列Ｑ（ｔ、ｙ）を基に比較合成図形を作図する時は、各要素が対応するチャート図上の単位長方形に、各要素の０から１５の値を対応する色を塗ることで行なう。０ならば白色、1ならば黄色、２から１４になるに従って、黄色成分を減らし赤色成分を増やし、１５で完全に赤色する。０から１５に対応した色に関するテーブルデータを容易することで容易に実現できる。
【０１１０】
以上の実施例では、株式市場を例にしたが、商品取引市場等にも用いることができる。又、国内だけでなく海外の株式市場の銘柄も抽出するようにしてもよい。移動平均株価を規格化するので、国内、海外の株式を為替の影響を受けることなく同一のチャート図に表示できる。
【産業上の利用可能性】
【０１１１】
移動平均株価に対する比較図形を設定し、合致する銘柄を抽出する銘柄選択支援システムで利用される。
【図面の簡単な説明】
【０１１２】
【図１】本発明のデータに注目した概略図である。
【図２】本発明の構成図である。
【図３】参考銘柄表示時の比較図形設定画面である。
【図４】合致銘柄抽出時の比較図形設定画面である。
【図５】合成図形表示時の比較図形設定画面である。
【図６】抽出銘柄一覧画面である。
【図７】比較図形トレンド一覧画面である。
【図８】業種トレンド一覧画面である。
【図９】ａ）比較図形表である。              ｂ）比較図形表に対応する比較図形である。
【図１０】相対値比較図形の絶対値比較図形への変換手順である。                ａ）比較表である。                ｂ）相対値比較図形である。                ｃ）変換後の絶対値比較図形である。                ｄ）合致判断用処理である。                ｅ）合致判断用処理である。
【図１１】比較図形の合成図形の作成手順である。                ａ）比較図形と比較図形行列である。                ｂ）比較図形と比較図形行列である。                ｃ）合成図形と合成比較図形行列である。                ｄ）重なりに応じた濃淡付きの合成図形である。
【図１２】業種トレンド図形の作成手順である。                ａ）チャート図形とチャート行列である。                ｂ）チャート図形とチャート行列である。                ｃ）チャート合成図形とチャート合成行列である。                ｄ）重なりに応じた濃淡付きの業種トレンド図形である。
【図１３】情報端末のメインフローである。
【図１４】ａ）抽出銘柄のチャート表示処理である。                ｂ）銘柄のチャート表示処理である。
【図１５】ａ）チャート行列の算出処理である。                ｂ）チャート図形の合成処理である。
【図１６】ａ）サーバのメインフローである。                ｂ）合成図形の算出処理である。
【図１７】ａ）合致比較図形の算出処理である。                ｂ）時価総額上昇率算出処理である。                ｃ）上昇率上位の合成図形算出処理である。                ｄ）上昇率下位の合成図形算出処理である。
【図１８】銘柄抽出処理である。
【図１９】ａ）ゴールデンクロス判断処理である。                ｂ）デッドクロス判断処理である。                ｃ）山型判断処理である。                ｄ）谷型判断処理である。
【図２０】ａ）相対値比較図形の合致判断処理である。                ｂ）相対値比較図形の絶対値化処理である。
【図２１】ａ）比較行列の算出処理である。                ｂ）比較図形の合成処理である。
【符号の説明】
【０１１３】
１    情報端末
２    同一チャート図  
３    ネットワーク網
４    株価提供サイト
５    ユーザ
６    情報端末と株価提供サイトからなるシステム
７    複数の情報端末
８    サーバ
１０    比較図形
１１    抽出銘柄
１３    規格化移動平均株価
１４    業種市場内銘柄
１５    参考銘柄
１６    チャート合成図形
２５    比較図形の合成図形
【図１】
2008026941.tif 000007
【図２】
2008026941.tif 000008
【図３】
2008026941.tif 000009
【図４】
2008026941.tif 000010
【図５】
2008026941.tif 000011
【図６】
2008026941.tif 000012
【図７】
2008026941.tif 000013
【図８】
2008026941.tif 000014
【図９】
2008026941.tif 000015
【図１０】
2008026941.tif 000016
【図１１】
2008026941.tif 000017
【図１２】
2008026941.tif 000018
【図１３】
2008026941.tif 000019
【図１４】
2008026941.tif 000020
【図１５】
2008026941.tif 000021
【図１６】
2008026941.tif 000022
【図１７】
2008026941.tif 000023
【図１８】
2008026941.tif 000024
【図１９】
2008026941.tif 000025
【図２０】
2008026941.tif 000026
【図２１】
2008026941.tif 000027